【手続補正書】
【提出日】平成28年6月16日(2016.6.16)
【手続補正１】
【補正対象書類名】特許請求の範囲
【補正対象項目名】全文
【補正方法】変更
【補正の内容】
【特許請求の範囲】
【請求項１】
アクセスポイントにおいて、ワイヤレスネットワークにおいて通信する方法であって、
ビーコン間隔の第１の倍数でフルビーコンを送信することと、
前記ビーコン間隔の前記第１の倍数でない各ビーコン間隔で圧縮ビーコンを送信すること、ここにおいて、前記圧縮ビーコンは、タイムスタンプフィールドを備える、と、
ショートビーコン適合性要素を備えるメッセージを送信すること、ここにおいて、前記ショートビーコン適合性要素は、前記圧縮ビーコンの前記タイムスタンプフィールドから省略される前記アクセスポイントのタイミング同期機能（ＴＳＦ）の１つまたは複数の最上位バイトを含む前記ＴＳＦ完了フィールドを備える、と
を備える、方法。
【請求項２】
前記ビーコン間隔の１つまたは複数の倍数で前記フルビーコンに加えて前記圧縮ビーコンを送信することをさらに備える、
請求項１に記載の方法。
【請求項３】
ショートビーコン適合性要素を備える前記メッセージは、フルビーコンおよびプローブ応答のうちの少なくとも１つであり、前記ショートビーコン適合性要素は、要素識別と、長さフィールドと、能力フィールドと、ビーコン間隔フィールドと
を備える、請求項１に記載の方法。
【請求項４】
前記ビーコン間隔を示すショートビーコン間隔要素を送信することをさらに備える、
請求項１に記載の方法。
【請求項５】
ワイヤレスネットワークにおいて通信するための装置であって、
ビーコン間隔の第１の倍数でフルビーコンを送信するための手段と、
前記ビーコン間隔の前記第１の倍数でない各ビーコン間隔で圧縮ビーコンを送信するための手段、ここにおいて、前記圧縮ビーコンは、タイムスタンプフィールドを備える、と、
ショートビーコン適合性要素を備えるメッセージを送信するための手段、ここにおいて、前記ショートビーコン適合性要素は、前記圧縮ビーコンの前記タイムスタンプフィールドから省略される前記アクセスポイントのタイミング同期機能（ＴＳＦ）の１つまたは複数の最上位バイトを含む前記ＴＳＦ完了フィールドを備える、と
を備える、装置。
【請求項６】
前記ビーコン間隔の１つまたは複数の倍数で前記フルビーコンに加えて前記圧縮ビーコンを送信するための手段をさらに備える、
請求項５に記載の装置。
【請求項７】
ショートビーコン適合性要素を備える前記メッセージは、フルビーコンおよびプローブ応答のうちの少なくとも１つであり、前記ショートビーコン適合性要素は、要素識別と、長さフィールドと、能力フィールドと、ビーコン間隔フィールドと
を備える、請求項５に記載の装置。
【請求項８】
前記ビーコン間隔を示すショートビーコン間隔要素を送信するための手段をさらに備える、
請求項５に記載の装置。
【請求項９】
ワイヤレスデバイスにおいて、ワイヤレスネットワークにおいて通信する方法であって、
ビーコン間隔の第１の倍数でフルビーコンを受信することと、
前記ビーコン間隔の前記第１の倍数でないビーコン間隔で圧縮ビーコンを受信すること、ここにおいて、前記圧縮ビーコンは、タイムスタンプフィールドを備える、と、
ショートビーコン適合性要素を備えるメッセージを受信すること、ここにおいて、前記ショートビーコン適合性要素は、前記圧縮ビーコンの前記タイムスタンプフィールドから省略される前記アクセスポイントのタイミング同期機能（ＴＳＦ）の１つまたは複数の最上位バイトを含む前記ＴＳＦ完了フィールドを備える、と
を備える、方法。
【請求項１０】
前記ビーコン間隔の１つまたは複数の倍数で前記フルビーコンに加えて前記圧縮ビーコンを受信することと、前記フルビーコン中の前記タイムスタンプフィールドよりも前記圧縮ビーコン中の前記タイムスタンプフィールドを優先させることと
をさらに備える、請求項９に記載の方法。
【請求項１１】
完全ＴＳＦフィールドを形成するために前記ＴＳＦ完了フィールドを前記圧縮ビーコン中の前記タイムスタンプと組み合わせることをさらに備える、
請求項９に記載の方法。
【請求項１２】
ワイヤレスネットワークにおいて通信するための装置であって、
ビーコン間隔の第１の倍数でフルビーコンを受信するための手段と、
前記ビーコン間隔の前記第１の倍数でないビーコン間隔で圧縮ビーコンを受信するための手段、ここにおいて、前記圧縮ビーコンは、タイムスタンプフィールドを備える、と、
ショートビーコン適合性要素を備えるメッセージを受信するための手段、ここにおいて、前記ショートビーコン適合性要素は、前記圧縮ビーコンの前記タイムスタンプフィールドから省略される前記アクセスポイントのタイミング同期機能（ＴＳＦ）の１つまたは複数の最上位バイトを含む前記ＴＳＦ完了フィールドを備える、と
を備える、装置。
【請求項１３】
前記ビーコン間隔の１つまたは複数の倍数で前記フルビーコンに加えて前記圧縮ビーコンを受信するための手段と、前記フルビーコン中の前記タイムスタンプフィールドよりも前記圧縮ビーコン中の前記タイムスタンプフィールドを優先させるための手段とをさらに備える、
請求項１２に記載の装置。
【請求項１４】
完全ＴＳＦフィールドを形成するために前記ＴＳＦ完了フィールドを前記圧縮ビーコン中の前記タイムスタンプと組み合わせるための手段をさらに備える、
請求項１２に記載の装置。
【請求項１５】
実行されたとき、
請求項１乃至４、および９乃至１１のうちの任意の１項に従う方法を実行すること
を装置に行わせるコードを備える非一時的コンピュータ可読媒体。
【手続補正２】
【補正対象書類名】明細書
【補正対象項目名】０１７２
【補正方法】変更
【補正の内容】
【０１７２】
[00191]上記は本開示の態様を対象とするが、本開示の他の態様およびさらなる態様は、それの基本的範囲から逸脱することなく考案され得、それの範囲は以下の特許請求の範囲によって判断される。
以下に、本願出願の当初の特許請求の範囲に記載された発明を付記する。
［Ｃ１］
ワイヤレスネットワークにおいて通信する方法であって、
アクセスポイントにおいて、ビーコン間隔の第１の倍数でフルビーコンを送信することと、
前記ビーコン間隔の前記第１の倍数でない各ビーコン間隔で圧縮ビーコンを送信することと
を備える、方法。
［Ｃ２］
前記ビーコン間隔の１つまたは複数の倍数で前記フルビーコンに加えて前記圧縮ビーコンを送信することをさらに備える、
Ｃ１に記載の方法。
［Ｃ３］
ショートビーコン適合性要素を備えるメッセージを送信することをさらに備える、
Ｃ１に記載の方法。
［Ｃ４］
前記ショートビーコン適合性要素は、要素識別と、長さフィールドと、能力ファイルドと、ビーコン間隔フィールドと、タイミング同期機能（ＴＳＦ）完了フィールドと
を備える、Ｃ３に記載の方法。
［Ｃ５］
前記要素識別は、１バイトを備え、前記長さフィールドは、１バイトを備え、前記能力ファイルドは、２バイトを備え、前記ビーコン間隔フィールドは、２バイトを備え、前記ＴＳＦ完了フィールドは、４バイトを備える、
Ｃ４に記載の方法。
［Ｃ６］
前記ＴＳＦ完了フィールドは、フルＴＳＦフィールドの４つの最上位バイトを備える、
Ｃ４に記載の方法。
［Ｃ７］
前記ビーコン間隔を示すショートビーコン間隔要素を送信することをさらに備える、
Ｃ１に記載の方法。
［Ｃ８］
ワイヤレスネットワークにおいて通信するように構成されたワイヤレスデバイスであって、
ビーコン間隔の第１の倍数でフルビーコンを送信することと、
前記ビーコン間隔の前記第１の倍数でない各ビーコン間隔で圧縮ビーコンを送信することと
を行うように構成された送信機
を備える、ワイヤレスデバイス。
［Ｃ９］
前記送信機は、前記ビーコン間隔の１つまたは複数の倍数で前記フルビーコンに加えて前記圧縮ビーコンを送信するようにさらに構成された、
Ｃ８に記載のデバイス。
［Ｃ１０］
前記送信機が、ショートビーコン適合性要素を備えるメッセージを送信するようにさらに構成された、Ｃ８に記載のデバイス。
［Ｃ１１］
前記ショートビーコン適合性要素は、要素識別と、長さフィールドと、能力ファイルドと、ビーコン間隔フィールドと、タイミング同期機能（ＴＳＦ）完了フィールドと
を備える、Ｃ１０に記載のデバイス。
［Ｃ１２］
前記要素識別は、１バイトを備え、前記長さフィールドは、１バイトを備え、前記能力ファイルドは、２バイトを備え、前記ビーコン間隔フィールドは、２バイトを備え、前記ＴＳＦ完了フィールドは、４バイトを備える、
Ｃ１１に記載のデバイス。
［Ｃ１３］
前記ＴＳＦ完了フィールドは、フルＴＳＦフィールドの４つの最上位バイトを備える、
Ｃ１１に記載のデバイス。
［Ｃ１４］
前記送信機は、前記ビーコン間隔を示すショートビーコン間隔要素を送信するようにさらに構成された、
Ｃ８に記載のデバイス。
［Ｃ１５］
ワイヤレスネットワークにおいて通信するための装置であって、
ビーコン間隔の第１の倍数でフルビーコンを送信するための手段と、
前記ビーコン間隔の前記第１の倍数でない各ビーコン間隔で圧縮ビーコンを送信するための手段と
を備える、装置。
［Ｃ１６］
前記ビーコン間隔の１つまたは複数の倍数で前記フルビーコンに加えて前記圧縮ビーコンを送信するための手段をさらに備える、
Ｃ１５に記載の装置。
［Ｃ１７］
ショートビーコン適合性要素を備えるメッセージを送信するための手段をさらに備える、
Ｃ１５に記載の装置。
［Ｃ１８］
前記ショートビーコン適合性要素は、要素識別と、長さフィールドと、能力ファイルドと、ビーコン間隔フィールドと、タイミング同期機能（ＴＳＦ）完了フィールドと
を備える、Ｃ１７に記載の装置。
［Ｃ１９］
前記要素識別は、１バイトを備え、前記長さフィールドが１バイトを備え、前記能力ファイルドは、２バイトを備え、前記ビーコン間隔フィールドは、２バイトを備え、前記ＴＳＦ完了フィールドは、４バイトを備える、
Ｃ１８に記載の装置。
［Ｃ２０］
前記ＴＳＦ完了フィールドは、フルＴＳＦフィールドの４つの最上位バイトを備える、
Ｃ１８に記載の装置。
［Ｃ２１］
前記ビーコン間隔を示すショートビーコン間隔要素を送信するための手段をさらに備える、
Ｃ１５に記載の装置。
［Ｃ２２］
実行されたとき、
ビーコン間隔の第１の倍数でフルビーコンを送信することと、
前記ビーコン間隔の前記第１の倍数でない各ビーコン間隔で圧縮ビーコンを送信することと
を装置に行わせるコードを備える非一時的コンピュータ可読媒体。
［Ｃ２３］
実行されたとき、前記ビーコン間隔の１つまたは複数の倍数で前記フルビーコンに加えて前記圧縮ビーコンを送信することを前記装置に行わせるコードをさらに備える、
Ｃ２２に記載の媒体。
［Ｃ２４］
実行されたとき、ショートビーコン適合性要素を備えるメッセージを送信することを前記装置に行わせるコードをさらに備える、
Ｃ２２に記載の媒体。
［Ｃ２５］
前記ショートビーコン適合性要素が、要素識別と、長さフィールドと、能力ファイルドと、ビーコン間隔フィールドと、タイミング同期機能（ＴＳＦ）完了フィールドとを備える、
Ｃ２４に記載の媒体。
［Ｃ２６］
前記要素識別が１バイトを備え、前記長さフィールドが１バイトを備え、前記能力ファイルドが２バイトを備え、前記ビーコン間隔フィールドが２バイトを備え、前記ＴＳＦ完了フィールドが４バイトを備える、Ｃ２５に記載の媒体。
［Ｃ２７］
前記ＴＳＦ完了フィールドがフルＴＳＦフィールドの４つの最上位バイトを備える、Ｃ２５に記載の媒体。
［Ｃ２８］
実行されたとき、前記ビーコン間隔を示すショートビーコン間隔要素を送信することを前記装置に行わせるコードをさらに備える、Ｃ２２に記載の媒体。
［Ｃ２９］
ワイヤレスネットワークにおいて通信する方法であって、
ワイヤレスデバイスにおいて、ビーコン間隔の第１の倍数でフルビーコンを受信することと、
前記ビーコン間隔の前記第１の倍数でないビーコン間隔で圧縮ビーコンを受信することと
を備える、方法。
［Ｃ３０］
前記ビーコン間隔の１つまたは複数の倍数で前記フルビーコンに加えて前記圧縮ビーコンを受信することと、前記フルビーコン中のタイムスタンプフィールドよりも前記圧縮ビーコン中のタイムスタンプフィールドを優先させることと
をさらに備える、Ｃ２９に記載の方法。
［Ｃ３１］
ショートビーコン適合性要素を備えるメッセージを受信することをさらに備える、
Ｃ２９に記載の方法。
［Ｃ３２］
前記ショートビーコン適合性要素は、要素識別と、長さフィールドと、能力ファイルドと、ビーコン間隔フィールドと、タイミング同期機能（ＴＳＦ）完了フィールドと
を備える、Ｃ３１に記載の方法。
［Ｃ３３］
前記要素識別は、１バイトを備え、前記長さフィールドは、１バイトを備え、前記能力ファイルドは、２バイトを備え、前記ビーコン間隔フィールドは、２バイトを備え、前記ＴＳＦ完了フィールドは、４バイトを備える、
Ｃ３２に記載の方法。
［Ｃ３４］
完全ＴＳＦフィールドを形成するために前記ＴＳＦ完了フィールドを前記圧縮ビーコン中のタイムスタンプと組み合わせることをさらに備える、
Ｃ３２に記載の方法。
［Ｃ３５］
前記ビーコン間隔を示すショートビーコン間隔要素を受信することをさらに備える、
Ｃ２９に記載の方法。
［Ｃ３６］
ワイヤレスネットワークにおいて通信するように構成されたワイヤレスデバイスであって、
ビーコン間隔の第１の倍数でフルビーコンを受信することと、
前記ビーコン間隔の前記第１の倍数でないビーコン間隔で圧縮ビーコンを受信することと
を行うように構成された受信機
を備える、ワイヤレスデバイス。
［Ｃ３７］
前記受信機は、前記ビーコン間隔の１つまたは複数の倍数で前記フルビーコンに加えて前記圧縮ビーコンを受信するようにさらに構成され、前記デバイスは、前記フルビーコン中のタイムスタンプフィールドよりも前記圧縮ビーコン中のタイムスタンプフィールドを優先させるように構成されたプロセッサをさらに備える、
Ｃ３６に記載のデバイス。
［Ｃ３８］
前記受信機は、ショートビーコン適合性要素を備えるメッセージを受信するようにさらに構成された、
Ｃ３６に記載のデバイス。
［Ｃ３９］
前記ショートビーコン適合性要素は、要素識別と、長さフィールドと、能力ファイルドと、ビーコン間隔フィールドと、タイミング同期機能（ＴＳＦ）完了フィールドと
を備える、Ｃ３８に記載のデバイス。
［Ｃ４０］
前記要素識別は、１バイトを備え、前記長さフィールドが１バイトを備え、前記能力ファイルドは、２バイトを備え、前記ビーコン間隔フィールドは、２バイトを備え、前記ＴＳＦ完了フィールドは、４バイトを備える、
Ｃ３９に記載のデバイス。
［Ｃ４１］
完全ＴＳＦフィールドを形成するために前記ＴＳＦ完了フィールドを前記圧縮ビーコン中のタイムスタンプと組み合わせるように構成されたプロセッサをさらに備える、
Ｃ３９に記載のデバイス。
［Ｃ４２］
前記受信機は、前記ビーコン間隔を示すショートビーコン間隔要素を受信するようにさらに構成された、
Ｃ３６に記載のデバイス。
［Ｃ４３］
ワイヤレスネットワークにおいて通信するための装置であって、
ビーコン間隔の第１の倍数でフルビーコンを受信するための手段と、
前記ビーコン間隔の第１の倍数でないビーコン間隔で圧縮ビーコンを受信するための手段と
を備える、装置。
［Ｃ４４］
前記ビーコン間隔の１つまたは複数の倍数で前記フルビーコンに加えて前記圧縮ビーコンを受信するための手段と、前記フルビーコン中のタイムスタンプフィールドよりも前記圧縮ビーコン中のタイムスタンプフィールドを優先させるための手段とをさらに備える、
Ｃ４３に記載の装置。
［Ｃ４５］
ショートビーコン適合性要素を備えるメッセージを受信するための手段をさらに備える、
Ｃ４３に記載の装置。
［Ｃ４６］
前記ショートビーコン適合性要素は、要素識別と、長さフィールドと、能力ファイルドと、ビーコン間隔フィールドと、タイミング同期機能（ＴＳＦ）完了フィールドとを備える、Ｃ４５に記載の装置。
［Ｃ４７］
前記要素識別は、１バイトを備え、前記長さフィールドは、１バイトを備え、前記能力ファイルドは、２バイトを備え、前記ビーコン間隔フィールドは、２バイトを備え、前記ＴＳＦ完了フィールドは、４バイトを備える、
Ｃ４６に記載の装置。
［Ｃ４８］
完全ＴＳＦフィールドを形成するために前記ＴＳＦ完了フィールドを前記圧縮ビーコン中のタイムスタンプと組み合わせるための手段をさらに備える、
Ｃ４６に記載の装置。
［Ｃ４９］
前記ビーコン間隔を示すショートビーコン間隔要素を受信するための手段をさらに備える、
Ｃ４３に記載の装置。
［Ｃ５０］
実行されたとき、
ビーコン間隔の第１の倍数でフルビーコンを受信することと、
前記ビーコン間隔の第１の倍数でないビーコン間隔で圧縮ビーコンを受信することと
を装置に行わせるコードを備える非一時的コンピュータ可読媒体。
［Ｃ５１］
実行されたとき、前記ビーコン間隔の１つまたは複数の倍数で前記フルビーコンに加えて前記圧縮ビーコンを受信することと、前記フルビーコン中のタイムスタンプフィールドよりも前記圧縮ビーコン中のタイムスタンプフィールドを優先させることとを前記装置に行わせるコードをさらに備える、
Ｃ５０に記載の媒体。
［Ｃ５２］
実行されたとき、ショートビーコン適合性要素を備えるメッセージを受信することを前記装置に行わせるコードをさらに備える、
Ｃ５０に記載の媒体。
［Ｃ５３］
前記ショートビーコン適合性要素は、要素識別と、長さフィールドと、能力ファイルドと、ビーコン間隔フィールドと、タイミング同期機能（ＴＳＦ）完了フィールドと
を備える、Ｃ５２に記載の媒体。
［Ｃ５４］
前記要素識別は、１バイトを備え、前記長さフィールドは、１バイトを備え、前記能力ファイルドは、２バイトを備え、前記ビーコン間隔フィールドは、２バイトを備え、前記ＴＳＦ完了フィールドは、４バイトを備える、
Ｃ５３に記載の媒体。
［Ｃ５５］
実行されたとき、完全ＴＳＦフィールドを形成するために前記ＴＳＦ完了フィールドを前記圧縮ビーコン中のタイムスタンプと組み合わせることを前記装置に行わせるコードをさらに備える、
Ｃ５３に記載の媒体。
［Ｃ５６］
実行されたとき、前記ビーコン間隔を示すショートビーコン間隔要素を受信することを前記装置に行わせるコードをさらに備える、
Ｃ５０に記載の媒体。